(57)【要約】      （修正有）【課題】不正行為の防止等を実現する配線構成を備えたスロットマシンを提供する。【解決手段】光配線ケーブルＣＢは、両端にコネクタＣＮ１，ＣＮ２が固着された光ファイバケーブルＦ１〜Ｆ４を有し、通信モジュールＡＳＹ１，ＡＳＹ２は、コネクタＭＣ１，ＭＣ２を有し、更にコネクタＭＣ１には、光信号を光ファイバケーブルＦ１，Ｆ２側へ送出する発光素子を備えた送信部ＴＸ１と、光ファイバケーブルＦ３，Ｆ４側から伝送されてくる光信号を受光する受光素子を備えた受信部ＲＸ１が設けられ、コネクタＭＣ２には、光信号を光ファイバケーブルＦ３，Ｆ４側へ送出する発光素子を備えた送信部ＴＸ２と、光ファイバケーブルＦ１，Ｆ２側から伝送されてくる光信号を受光する受光素子を備えた受信部ＲＸ２が設けられ、光配線ケーブルのコネクタを通信モジュールのコネクタに嵌着することで、光信号により情報の授受を行うように配線する。【選択図】図４
2005080886.tif 000002
【特許請求の範囲】
【請求項１】
配線ケーブルによって制御システムの配線が行われる遊技機であって、
前記制御システム内の少なくとも２カ所の間を配線すべく、一方の箇所に設けられた第１の通信手段と、他方の箇所に設けられた第２の通信手段と、前記第１，第２の通信手段との間に接続される配線ケーブルとを備え、
前記配線ケーブルは、情報を光信号として伝送する光ファイバケーブルを有し、
前記第１の通信手段は、伝送すべき電気信号を光信号に電気光変換して前記光ファイバケーブルに入射する発光手段を有し、
前記第２の通信手段は、前記光ファイバケーブルから伝送される光信号を受光して電気信号に光電変換して出力する受光手段を有することを特徴とする遊技機。
【請求項２】
前記配線ケーブルは、更に前記第１の通信手段と第２の通信手段との間を電気的に接続する導電性ケーブルを有することを特徴とする請求項１に記載の遊技機。
【請求項３】
前記配線ケーブルは、前記光ファイバケーブルの両端に固着されたケーブル側コネクタを備え、
前記第１，第２の通信手段は、前記ケーブル側コネクタを着脱自在に装着させると共に、前記光ファイバケーブルの両端を前記発光手段と受光手段に位置合わせして装着させるモジュール側コネクタを備えることを特徴とする請求項１又は２に記載の遊技機。
【請求項４】
前記ケーブル側コネクタは、前記導電性ケーブルに接続される第１のコネクタ端子を備え、
前記第１，第２の通信手段の各モジュール側コネクタは、前記ケーブル側コネクタが装着されると、前記第１のコネクタ端子に電気接続する第２のコネクタ端子を有することを特徴とする請求項３に記載の遊技機。
【請求項５】
前記第１，第２のコネクタ端子と導電性ケーブルは、前記発光手段又は前記受光手段を動作させる電源を供給する電源供給路を構成することを特徴とする請求項４に記載の遊技機。
【発明の詳細な説明】
【技術分野】
【０００１】
本発明は、例えばスロットマシン等の遊技機に関する。
【背景技術】
【０００２】
近年のスロットマシンにあっては、マイクロプロセッサ（ＭＰＵ）を用いたいわゆるプログラム制御が主流となっている。そして、該マイクロプロセッサ（ＭＰＵ）を搭載した主制御基板が中心となって、スロットマシンのシステム全体を集中的に管理及び制御することにより、遊技の進行を制御したり、動作状況等を管理している。
【０００３】
例えば、遊技者がスロットマシンの操作部に設けられているスタートレバーをオン操作すると、主制御基板が所定のプログラムを実行することによっていわゆる役抽選を行い、更に回胴リール装置をプログラム制御することによって、複数個の回胴リールを回転させる。引き続き、遊技者が操作部に設けられている複数個のストップボタンを任意の順番でオン操作すると、主制御基板は回胴リール装置をプログラム制御することによって、オン操作された順番に従って各回胴リールを停止させ、更に停止した各回胴リールに描かれている絵柄が上述の抽選した役に相当する組み合わせで揃うと、入賞となって所定枚数の遊技用メダルを払い出す。
【０００４】
また、スロットマシンは、遊技の進行に際し、遊技者に対して視覚的な演出表示を行ったり、効果音を発するとことで聴覚的な演出を行っているが、こうした演出も主制御基板に搭載されているマイクロプロセッサ（ＭＰＵ）が中心となって、プログラム制御によって行われている。
【発明の開示】
【発明が解決しようとする課題】
【０００５】
従来のスロットマシンにあっては、主制御基板を中心としてシステム全体を集中的に管理及び制御するために、主制御基板と、操作部と、回胴リール装置と、演出のための演出表示装置や効果音を発する鳴動装置等、その他の各構成要素の間が導電性の配線ケーブル（いわゆる電線の配線ケーブル）で配線接続がなされている。
【０００６】
ところが、当該導電性の配線ケーブルに不正な電気信号を重畳したり、配線ケーブルをアース電位に落とす等して、例えば主制御基板中の上記マイクロプロセッサ（ＭＰＵ）に誤動作を行わせ、不正に利益を得ようとする不正行為者が問題となっていた。
【０００７】
また、膨大な画像データを用いて高品位の演出表示を行ったり、遊技の内容が益々高度で複雑になるのに伴って情報伝送を高速に行う必要が生じるようになり、こうした高速伝送が可能な配線構成の開発が望まれていた。
【０００８】
本発明はこうした従来の課題に鑑みてなされたものであり、例えば不正行為の未然防止や、高速伝送の実現を図ること等を可能にする配線構成を備えた遊技機を提供することを目的とする。
【課題を解決するための手段】
【０００９】
請求項１記載の発明は、配線ケーブルによって制御システムの配線が行われる遊技機であって、前記制御システム内の少なくとも２カ所の間を配線すべく、一方の箇所に設けられた第１の通信手段と、他方の箇所に設けられた第２の通信手段と、前記第１，第２の通信手段との間に接続される配線ケーブルとを備え、前記配線ケーブルは、情報を光信号として伝送する光ファイバケーブルを有し、前記第１の通信手段は、伝送すべき電気信号を光信号に電気光変換して前記光ファイバケーブルに入射する発光手段を有し、前記第２の通信手段は、前記光ファイバケーブルから伝送される光信号を受光して電気信号に光電変換して出力する受光手段を有することを特徴とする。
【００１０】
請求項１記載の発明によれば、配線すべき２カ所のうちの一方の箇所に第１の通信手段が設けられ、他方の箇所に第２の通信手段が設けられ、光ファイバケーブルを有する配線ケーブルが第１，第２の通信手段の間に接続されることにより、２カ所の間を第１，第２の通信手段と光ファイバケーブルによって光伝送を行うように、配線される。
【００１１】
請求項２記載の発明は、請求項１記載の遊技機において、前記配線ケーブルは、更に前記第１の通信手段と第２の通信手段との間を電気的に接続する導電性ケーブルを有することを特徴とする。
【００１２】
請求項２記載の発明によれば、光ファイバケーブルで光による情報伝送を行うだけでなく、導電性ケーブルによって電気伝送をするための配線を実現する。
【００１３】
請求項３記載の発明は、請求項１又は２に記載の遊技機において、前記配線ケーブルは、前記光ファイバケーブルの両端に固着されたケーブル側コネクタを備え、前記第１，第２の通信手段は、前記ケーブル側コネクタを着脱自在に装着させると共に、前記光ファイバケーブルの両端を前記発光手段と受光手段に位置合わせして装着させるモジュール側コネクタを備えることを特徴とする。
【００１４】
請求項３記載の発明によれば、配線を行うべき２カ所に設けられた第１，第２の通信手段にモジュール側コネクタが備えられており、光ファイバケーブルの両端に固着されたケーブル側コネクタを上述の各モジュール側コネクタに着脱自在に装着することで、２カ所の間の配線を実現する。
【００１５】
請求項４記載の発明は、請求項３記載の遊技機において、前記ケーブル側コネクタは、前記導電性ケーブルに接続される第１のコネクタ端子を備え、前記第１，第２の通信手段の各モジュール側コネクタは、前記ケーブル側コネクタが装着されると、前記第１のコネクタ端子に電気接続する第２のコネクタ端子を有することを特徴とする。
【００１６】
請求項４記載の発明によれば、ケーブル側コネクタには、導電性ケーブルに接続される第１のコネクタ端子が備えられ、モジュール側コネクタには、ケーブル側コネクタが装着されると、第１のコネクタ端子に接続する第２のコネクタ端子が備えられており、モジュール側コネクタにケーブル側コネクタを着脱自在に装着すると、第１，第２の通信手段間を導電性ケーブルで電気的に接続するように配線が実現される。
【００１７】
請求項５記載の発明は、請求項４記載の遊技機において、前記第１，第２のコネクタ端子と導電性ケーブルは、前記発光手段又は前記受光手段を動作させる電源を供給する電源供給路を構成することを特徴とする。
【００１８】
請求項５記載の発明によれば、配線ケーブルを第１，第２の通信手段間に装着すると、導電性ケーブルが第１，第２の通信手段間を電気的に接続し、発光手段又は受光手段を動作させる為の電源を供給する電源供給路を構成する。これにより、第１，第２の通信手段の何れ一方に電源供給を行うと、他方の通信手段中の発光手段又は受光手段を動作させる為の電源を供給するように配線が実現される。
【発明の効果】
【００１９】
請求項１記載の発明によれば、２カ所の間を第１，第２の通信手段と光ファイバケーブルによって光伝送を行うように、配線されることにより、導電性ケーブルで情報を伝送した場合に問題となっていた不正行為を未然に防止することができる。
【００２０】
請求項２記載の発明によれば、光ファイバケーブルで光による情報伝送を行うだけでなく、導電性ケーブルによって電気信号を伝送するための配線を行うことができるので、例えば電力供給を行うための配線を導電性ケーブルによって行うことができる。
【００２１】
請求項３記載の発明によれば、第１，第２の通信手段に配線ケーブルを装着することにより、容易に配線することができる。
【００２２】
請求項４記載の発明によれば、第１，第２の通信手段に配線ケーブルを装着することにより、容易に導電性ケーブルを接続することができる。
【００２３】
請求項５記載の発明によれば、配線ケーブルを第１，第２の通信手段間に装着すると、導電性ケーブルが第１，第２の通信手段間を電気的に接続し、発光手段又は受光手段を動作させる為の電源を供給する電源供給路を構成するので、第１，第２の通信手段の何れ一方に電源供給を行うと、他方の通信手段中の発光手段又は受光手段を動作させる為の電源を供給するように配線を行うことができる。
【発明を実施するための最良の形態】
【００２４】
以下、発明を実施するための最良の形態とし、遊戯場等に設置されるスロットマシンについて説明する。
【００２５】
図１は、本スロットマシン１００の外観構造を表した平面図、図２は、本スロットマシン１００の内部構造を表した平面図、図３は、本スロットマシン１００の制御システムの構成を表した図である。
【００２６】
図１において、本スロットマシン１００は、遊技者に面するフロントドア１０１と、フロントドア１０１が開閉可能に取り付けられた後述の箱型形状の筐体１０２とを備えて構成されている。
【００２７】
フロントドア１０１は、上部パネル部１０３と中部パネル部１０４と下部パネル部１０５とを備えて構成され、これらパネル部１０３，１０４，１０５は、全体的に硬質プラスチックで成形されることによって、機械的に強固な構造を有している。
【００２８】
上部パネル部１０３には、演出用ランプ１０３ａと、スピーカが取り付けられた放音部１０３ｂ，１０３ｃと、液晶ディスプレイ等で形成された演出表示装置１０３ｄとが設けられている。
【００２９】
中部パネル部１０４には、透明な硬質プラスチック板で形成された略長方形の透過窓ＷＤが設けられており、透過窓ＷＤの裏面側には、３個の回胴リールＲ１，Ｒ２，Ｒ３を備えた回胴リール装置２００が配置されている。そして、この透過窓ＷＤによって回胴リール装置２００を外部から保護すると共に、遊技者が透過窓ＷＤを介して回胴リールＲ１，Ｒ２，Ｒ３を見ることが可能となっている。
【００３０】
更に、中部パネル部１０４の下端には遊技者が操作するための操作部１０４ｃが設けられ、当該操作部１０４ｃには、遊技用のメダルを投入するためのメダル投入部ＭＤと、１ゲーム当たりのメダル数を提示するためのベットボタンＢ１，Ｂ２，Ｂ３と、１ゲームの開始を指示するためのスタートレバーＳＴと、回転中の回胴リールＲ１，Ｒ２，Ｒ３を個別に停止させるための３個のストップボタンＳＰ１，ＳＰ２，ＳＰ３が設けられている。
【００３１】
下部パネル部１０５には、本スロットマシン１００のゲーム内容を紹介するための画像等（図示略）が描かれており、遊技者にメダルを払い出すための排出口１０５ａ及び受皿１０５ｂと、スピーカが取り付けられた放音部１０５ｃが設けられている。
【００３２】
次に、図２を参照して、フロントドア１０１の裏面構造と、筐体１０２の内部構造を概説する。なお、図２はフロントドア１０１を解錠して筐体１０２から開いた状態を表している。
【００３３】
同図において、フロントドア１０１の裏面上部に、上述の放音部１０３ｂ，１０３ｃを構成するスピーカＳＲ，ＳＬが設けられ、スピーカＳＲ，ＳＬの間に演出表示装置１０３ｄが設けられると共に、演出表示装置１０３ｄの裏面側にサブ制御基板３００が取り付けられている。
【００３４】
演出表示装置１０３ｄ及びサブ制御基板３００の下方には、上述の透過窓ＷＤと中部パネル部１０４のパネル面とが形成された略長方形の枠体１０４ｄが取り付けられている。
【００３５】
枠体１０４ｄの下方には、メダル投入部ＭＤより投入される投入物を正規のメダルか異物か検出して振り分けるセレクタ装置（以下「振分装置」という）Ｇ０と、振分装置Ｇ０で振り分けられた正規のメダルを筐体１０２側に設けられているホッパ装置ＨＰへ案内するガイド部材Ｇ１と、振分装置Ｇ０で振り分けられた異物を排出口１０５ａへ案内して排出するガイド部材Ｇ２と、ホッパ装置ＨＰから出力される払い出し用のメダルを排出口１０５ａへ案内して出力するガイド部材Ｇ３が設けられ、更に排出口１０５ａの近傍に、スピーカＳＷが放音部１０５ｃに対応して取り付けられている。
【００３６】
更に、上述の枠体１０４ｄと振分装置Ｇ０との間の領域に長尺状の中央表示基板４００が取り付けられている。
【００３７】
筐体１０２内には、主電源装置ＰＷＵと、ホッパ装置ＨＰから溢れたメダルを収容するための補助貯留部ＳＨＰと、透過窓ＷＤに対向する回胴リールＲ１，Ｒ２，Ｒ３を備えた回胴リール装置２００が設けられている。
【００３８】
更に、主電源装置ＰＷＵの側面に電源装置基板５００、回胴リール装置２００の上端に回胴装置基板６００、回胴リール装置２００の上方に主制御基板７００が設けられる他、筐体１０２の内壁の一端に、遊戯場の管理室等に設けられている管理用コンピュータ（ホールコンピュータと呼ばれている）に接続される外部集中端子基板８００が取り付けられている。
【００３９】
上述の主制御基板７００と、サブ制御基板３００、回胴装置基板６００、中央表示基板４００、電源装置基板５００及び外部集中端子基板８００は、何れも導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成されており、特に、主制御基板７００とサブ制御基板３００と外部集中端子基板８００は、夫々硬質プラスチックの収納ケース内に個別に収納されたユニット構造となっている。
【００４０】
次に、図３のブロック図を参照して制御システムの構成を述べると、主制御基板７００は、スロットマシン１００の動作全体を管理するシステムプログラム及びスロットマシンゲーム用の実行プログラムが予め記憶されている記憶部（ＲＯＭ）と、これらのプログラムを実行するマイクロプロセッサ（ＭＰＵ）とを有している。
【００４１】
そして、上述のマイクロプロセッサ（ＭＰＵ）に設けられている入力ポート及び出力ポートと基板３００，６００，４００，５００，８００等との間が配線ケーブルによって配線接続されている。
【００４２】
更に又、演出用スピーカＳＲ，ＳＬ，ＳＷと演出用ランプ１０３ａ，１０４ａ，１０４ｂと演出表示装置１０３ｄが配線ケーブルを介してサブ制御基板３００に配線接続され、主制御基板７００中の上記マイクロプロセッサ（ＭＰＵ）から供給される演出制御信号に従って、サブ制御基板３００に設けられている電気回路がこれら演出用スピーカＳＲ，ＳＬ，ＳＷと演出用ランプ１０３ａ，１０４ａ，１０４ｂと演出表示装置１０３ｄを駆動することにより、遊技者の視覚と聴覚に訴える演出を行う。
【００４３】
回胴装置基板６００は、電動モータによって回転駆動される回胴リールＲ１，Ｒ２，Ｒ３を備えた回胴リール装置２００が配線接続されており、主制御基板７００中の上記マイクロプロセッサ（ＭＰＵ）から供給されるリール制御信号に従って、上述の電動モータを制御することにより、回胴リールＲ１，Ｒ２，Ｒ３の回転と制動及び停止の制御を行う。
【００４４】
中央表示基板４００には、少なくとも、ベットボタンＢ１，Ｂ２，Ｂ３、スタートレバーＳＴ、ストップボタンＳＰ１，ＳＰ２，ＳＰ３が配線接続されており、ベットボタンＢ１，Ｂ２，Ｂ３とスタートレバーＳＴ及びストップボタンＳＰ１，ＳＰ２，ＳＰ３から夫々出力されるオンオフ信号を主制御基板７００中の上記マイクロプロセッサ（ＭＰＵ）へ配線ケーブルを介して転送する。
【００４５】
すなわち、中央表示基板４００は、遊技者が操作部１０４ｃを操作した際生じる各種の出力信号を主制御基板７００へ転送等するための中継基板として機能している。
【００４６】
電源装置基板５００は、いわゆる配電盤としての機能を有しており、電源装置ＰＷＵで生成される各種電源をホッパ装置ＨＰその他の各所に配電して供給する。
【００４７】
外部集中端子基板８００は、主制御基板７００中のマイクロプロセッサ（ＭＰＵ）が本スロットマシン１００の動作状況や内部状態を逐一監視して、監視結果を示す信号を出力すると、その信号を上述のホールコンピュータ側へ転送する機能を有している。つまり、外部集中端子基板８００は、インターフェースとしての機能を有している。
【００４８】
ここで、上述の制御システムを構成している各構成要素間は、情報を光ファイバーで伝送する配線ケーブルによって、適宜に配線接続されている。すなわち、電源装置ＰＷＵから各所に電力を供給するための配線等には、電力容量の大きい導電性の配線ケーブル（いわゆる電線の配線ケーブル）が用いられ、不正行為が行われる虞のある個所や、高速の情報伝送を必要とする構成要素間の配線には、情報を光信号として光ファイバーで伝送する配線ケーブル（以下「光配線ケーブル」という）が用いられている。
【００４９】
図４は、この光配線ケーブルＣＢと、光配線ケーブルＣＢが着脱自在に装着される通信モジュールＡＳＹ１，ＡＳＹ２の構成を表した斜視図であり、これら光配線ケーブルＣＢと通信モジュールＡＳＹ１，ＡＳＹ２によって配線用の機構（配線用アッシー）が実現されている。
【００５０】
また、図５（ａ）と図５（ｂ）は、光配線ケーブルＣＢを通信モジュールＡＳＹ１，ＡＳＹ２に装着した状態を表した平面図と側面図、図５（ｃ）は、通信モジュールＡＳＹ１，ＡＳＹ２の夫々の後端側を見たときの形状を表した側面図である。
【００５１】
まず、図４、図５（ａ）（ｂ）（ｃ）を参照して、光配線ケーブルＣＢと通信モジュールＡＳＹ１，ＡＳＹ２の構造を概説する。
【００５２】
光配線ケーブルＣＢは、４本のファイバケーブルＦ１，Ｆ２，Ｆ３，Ｆ４と、２本の導電性配線ケーブル（いわゆる電線の配線ケーブル）Ｍ１，Ｍ２と、これらケーブルＦ１，Ｆ２，Ｆ３，Ｆ４，Ｍ１，Ｍ２の両端に固着された略直方体形状のケーブル側コネクタＣＮ１，ＣＮ２とを備えて構成されている。
【００５３】
各ファイバケーブルＦ１，Ｆ２，Ｆ３，Ｆ４は、コアとクラッド層を有する光ファイバの外周面をプラスチックの保護膜で被覆し、更に保護膜の外周面を不透明な合成樹脂膜で被覆した構造を有しており、これによって、光ファイバ中への外部光の侵入と、光ファイバから外部への光の漏洩を防止する構造となっている。また、各ファイバケーブルＦ１，Ｆ２，Ｆ３，Ｆ４は可撓性を有しており、比較的自在に曲げることが可能となっている。
【００５４】
導電性ケーブルＭ１，Ｍ２は、導電性を有する電線を、絶縁性を有する合成樹脂で被覆した構造を有し、可撓性を有している。
【００５５】
ケーブル側コネクタＣＮ１とＣＮ２は、基本的に同じ構造を有しており、硬質プラスチックによって射出成形されている。そして、光ファイバケーブルＦ１，Ｆ２，Ｆ３，Ｆ４と導電性ケーブルＭ１，Ｍ２の両端を上述の射出成形の際に硬質プラスチック中に埋設することによって、光ファイバケーブルＦ１，Ｆ２，Ｆ３，Ｆ４と導電性ケーブルＭ１，Ｍ２の両端に、これらケーブル側コネクタＣＮ１，ＣＮ２が一体化して固着されている。
【００５６】
通信モジュールＡＳＹ１は、ケーブル側コネクタＣＮ１を着脱自在に嵌合させる略直方体形状のモジュール側コネクタＭＣ１と、モジュール側コネクタＭＣ１の後端に接着剤又は接着材によって一体的に固着された送信部ＴＸ１及び受信部ＲＸ１を備えて形成されている。
【００５７】
通信モジュールＡＳＹ２は、ケーブル側コネクタＣＮ２を着脱自在に嵌合させる略直方体形状のモジュール側コネクタＭＣ２と、モジュール側コネクタＭＣ２の後端に接着剤又は接着材によって一体的に固着された送信部ＴＸ２及び受信部ＲＸ２を備えて形成されている。
【００５８】
そして、これら通信モジュールＡＳＹ１とＡＳＹ２は、何れも対称的な構造を有し且つ基本的に同じ構造を有しており、更にケーブル側コネクタＣＮ１とＣＮ２の何れも対称的な構造を有し且つ基本的に同じ構造を有していることから、後述の配線のための組み立て工程において、ケーブル側コネクタＣＮ１を通信モジュールＡＳＹ１に、ケーブル側コネクタＣＮ２を通信モジュールＡＳＹ２に夫々装着することができるだけでなく、ケーブル側コネクタＣＮ１を通信モジュールＡＳＹ２に、ケーブル側コネクタＣＮ２を通信モジュールＡＳＹ１に夫々装着することも可能である。
【００５９】
次に、図６乃至図１１を参照して、ケーブル側コネクタＣＮ１，ＣＮ２と、通信モジュールＡＳＹ１，ＡＳＹ２の構造を詳述する。
【００６０】
なお、図６（ａ）は、通信モジュールＡＳＹ１の後端側と、ケーブル側コネクタＣＮ１の先端側を見た場合の斜視図、図６（ｂ）は、ケーブル側コネクタＣＮ１の後端側と、通信モジュールＡＳＹ１の先端側を見た場合の斜視図である。また、ケーブル側コネクタＣＮ１とＣＮ２は基本的に同じ構造を有し、通信モジュールＡＳＹ１とＡＳＹ２も基本的に同じ構造を有していることから、同図（ａ）（ｂ）中に、ケーブル側コネクタＣＮ２と通信モジュールＡＳＹ２に相当する部分が括弧書きの符号で示されている。
【００６１】
図７は、図５（ａ）に示されている光ファイバケーブルＦ１の長手方向に沿って、光配線ケーブルＣＢとケーブル側コネクタＣＮ１，ＣＮ２及び通信モジュールＡＳＹ１，ＡＳＹ２を破断した場合のＹ１-Ｙ１線矢視断面図である。
【００６２】
図８は、図５（ａ）に示されている光ファイバケーブルＦ２の長手方向に沿って、光配線ケーブルＣＢとケーブル側コネクタＣＮ１，ＣＮ２及び通信モジュールＡＳＹ１，ＡＳＹ２を破断した場合のＹ２-Ｙ２線矢視断面図である。
【００６３】
図９は、図５（ａ）に示されている導電性ケーブルＭ１，Ｍ２の長手方向に沿って、光配線ケーブルＣＢとケーブル側コネクタＣＮ１，ＣＮ２及び通信モジュールＡＳＹ１，ＡＳＹ２を破断した場合のＹ３-Ｙ３線矢視断面図である。
【００６４】
図１０は、図５（ａ）に示されている光ファイバケーブルＦ３の長手方向に沿って、光配線ケーブルＣＢとケーブル側コネクタＣＮ１，ＣＮ２及び通信モジュールＡＳＹ１，ＡＳＹ２を破断した場合のＹ４-Ｙ４線矢視断面図である。
【００６５】
図１１は、図５（ａ）に示されている光ファイバケーブルＦ４の長手方向に沿って、光配線ケーブルＣＢとケーブル側コネクタＣＮ１，ＣＮ２及び通信モジュールＡＳＹ１，ＡＳＹ２を破断した場合のＹ５-Ｙ５線矢視断面図である。
【００６６】
そして、図７乃至図１１中の符号（ａ）の図は、ケーブル側コネクタＣＮ１，ＣＮ２が通信モジュールＡＳＹ１，ＡＳＹ２に装着されていない状態、図７乃至図１１中の符号（ｂ）の図は、ケーブル側コネクタＣＮ１，ＣＮ２が通信モジュールＡＳＹ１，ＡＳＹ２に装着されている状態を表している。
【００６７】
更に、図７乃至図１１中、ケーブル側コネクタＣＮ１とＣＮ２において構造上及び機能上同じ部分を同一符号で示す共に、通信モジュールＡＳＹ１，ＡＳＹ２において構造上及び機能上同じ部分を同一符号で示している。
【００６８】
図６（ａ）（ｂ）において、ケーブル側コネクタＣＮ１と通信モジュールＡＳＹ１の構造を代表して説明すると、上述したようにケーブル側コネクタＣＮ１をモジュール側コネクタＭＣ１に挿入すると、ケーブル側コネクタＣＮ１の側壁に形成されている係合孔Ｑに、モジュール側コネクタＭＣ１の側壁に形成されている舌片部Ｋが係合することによって、ケーブル側コネクタＣＮ１とモジュール側コネクタＭＣ１との抜け止めが実現される。
【００６９】
ケーブル側コネクタＣＮ１の先端部Ｐ１には、円筒形状の４個の嵌合穴ａ１，ａ２，ａ３，ａ４が形成されており、更に、嵌合穴ａ１には、光ファイバケーブルＦ１の先端部分を保持した円錐台形状のフェルールｂ１、嵌合穴ａ２には、光ファイバケーブルＦ２の先端部分を保持した円錐台形状のフェルールｂ２、嵌合穴ａ３には、光ファイバケーブルＦ３の先端部分を保持した円錐台形状のフェルールｂ３、嵌合穴ａ４には、光ファイバケーブルＦ４の先端部分を保持した円錐台形状のフェルールｂ４が夫々形成されている。
【００７０】
更に、ケーブル側コネクタＣＮ１の先端部Ｐ１には、略矩形状の嵌合穴ｃ１，ｃ２が形成されており、嵌合穴ｃ１には、導電性ケーブルＭ１の先端部分と電気的に接続された雌型のコネクタ端子ｍ１（図９参照）が組み付けられ、嵌合穴ｃ２には、導電性ケーブルＭ２の先端部分と電気的に接続された雌型のコネクタ端子ｍ２（図９参照）が組み付けられている。
【００７１】
すなわち、雌型コネクタ端子ｍ１，ｍ２は、何れも弾性金属で形成された二枚貝形状の舌片部材で形成されており、後述の雄型コネクタ端子ｅ１，ｅ２がこれら舌片部材に係着されることで、雌型コネクタ端子ｍ１と雄型コネクタ端子ｅ１との接続と、雌型コネクタ端子ｍ２と雄型コネクタ端子ｅ２との接続が行われるようになっている。
【００７２】
モジュール側コネクタＭＣ１の先端部Ｐ２には、ケーブル側コネクタＣＮ１の先端部Ｐ１を挿入させる略矩形状の嵌合穴Ｐ３が形成されている。更に、嵌合穴Ｐ３内には、ケーブル側コネクタＣＮ１に形成されているフェルールｂ１，ｂ２，ｂ３，ｂ４に対向するように位置合わせされた円筒形状の突出部ｄ１，ｄ２，ｄ３，ｄ４と、嵌合穴ｃ１，ｃ２及び雌型コネクタ端子ｍ１，ｍ２に対向するように位置合わせされた金属製の雄型コネクタ端子ｅ１，ｅ２が形成されている。
【００７３】
更に、突出部ｄ１，ｄ２，ｄ３，ｄ４の夫々の軸中心には、ケーブル側コネクタＣＮ１に形成されているフェルールｂ１，ｂ２，ｂ３，ｂ４を嵌合させる嵌合孔ｈ１，ｈ２，ｈ３，ｈ４が形成されている。
【００７４】
更に、嵌合孔ｈ１，ｈ２，ｈ３，ｈ４の夫々の内壁は、円錐台形状のフェルールｂ１，ｂ２，ｂ３，ｂ４の夫々の外側壁の形状に合わせられたテーパー面となっている。
【００７５】
すなわち、図７（ａ）（ｂ）の断面図に示すように、ケーブル側コネクタＣＮ１の嵌合穴ａには、円錐台形状の外側壁ＴＡを有するフェルールｂ１が形成され、モジュール側コネクタＭＣ１の嵌合穴Ｐ３には、外側壁ＴＡに合わせられたテーパー面ＴＴＡを有する上述の嵌合孔ｈ１が形成された突出部ｄ１が形成されている。
【００７６】
また、図８（ａ）（ｂ）の断面図に示すように、ケーブル側コネクタＣＮ１の嵌合穴ａ２には、円錐台形状の外側壁ＴＢを有するフェルールｂ２が形成され、モジュール側コネクタＭＣ１の嵌合穴Ｐ３には、外側壁ＴＢに合わせられたテーパー面ＴＴＢを有する上述の嵌合孔ｈ２が形成された突出部ｄ２が形成されている。
【００７７】
また、図１０（ａ）（ｂ）の断面図に示すように、ケーブル側コネクタＣＮ１の嵌合穴ａ３には、円錐台形状の外側壁ＴＣを有するフェルールｂ３が形成され、モジュール側コネクタＭＣ１の嵌合穴Ｐ３には、外側壁ＴＣに合わせられたテーパー面ＴＴＣを有する上述の嵌合孔ｈ３が形成された突出部ｄ３が形成されている。
【００７８】
また、図１１（ａ）（ｂ）の断面図に示すように、ケーブル側コネクタＣＮ１の嵌合穴ａ４には、円錐台形状の外側壁ＴＤを有するフェルールｂ４が形成され、モジュール側コネクタＭＣ１の嵌合穴Ｐ３には、外側壁ＴＤに合わせられたテーパー面ＴＴＤを有する上述の嵌合孔ｈ４が形成された突出部ｄ４が形成されている。
【００７９】
そして、上述の外側壁ＴＡ〜ＴＤと、テーパー面ＴＴＡ〜ＴＴＤが全て同じ傾きで設計されていることにより、ケーブル側コネクタＣＮ１をモジュール側コネクタＭＣ１の嵌合穴Ｐ３に装着すると、フェルールｂ１，ｂ２，ｂ３，ｂ４と嵌合孔ｈ１，ｈ２，ｈ３，ｈ４とを自動的に位置合わせして嵌合させることが可能となっている。
【００８０】
更に、図７、図８、図１０、図１１に示すように、嵌合孔ｈ１，ｈ２の夫々の底面から送信部ＴＸ１側に延在する光ファイバＦＣ１，ＦＣ２と、嵌合孔ｈ３，ｈ４の夫々の底面から受信部ＲＸ１側に延在する光ファイバＦＣ３，ＦＣ３とが、モジュール側コネクタＭＣ１中に埋設されている。
【００８１】
そして、上述のフェルールｂ１，ｂ２，ｂ３，ｂ４と嵌合孔ｈ１，ｈ２，ｈ３，ｈ４が嵌合すると、夫々のフェルールｂ１，ｂ２，ｂ３，ｂ４に保持されている光ファイバケーブルＦ１，Ｆ２，Ｆ３，Ｆ４のコア及びクラットの端面と、光ファイバＦＣ１，ＦＣ２，Ｆｃ３，ＦＣ４のコア及びクラットの端面とが自動的に光軸合わせされ、光ファイバケーブルＦ１，Ｆ２，Ｆ３，Ｆ４と光ファイバＦＣ１，ＦＣ２，Ｆｃ３，ＦＣ４とによる夫々の光伝送が行われるようになっている。
【００８２】
再び図６において、送信部ＴＸ１は、少なくとも発光ダイオードＬＥＤ１，ＬＥＤ２と、各発光ダイオードＬＥＤ１，ＬＥＤ２を個別に駆動する駆動回路（図示略）とを、複数のリード端子を有するシングルインライン型のパッケージ内に収容した構造を有している。
【００８３】
受信部ＲＸ１は、少なくとも受光ダイオードＰＤ３，ＰＤ４と、各受光ダイオードＰＤ３，ＰＤ４から出力される信号を波形整形等して出力する信号処理回路（図示略）とを複数のリード端子を有するシングルインライン型のパッケージ内に、収容した構造を有している。
【００８４】
そして、図７（ａ）（ｂ）と図８（ａ）（ｂ）に示すように、光ファイバＦＣ１，ＦＣ２のコア及びクラッド層の端面（光入射端）に対向させて、送信部ＴＸ１に設けられている発光ダイオードＬＥＤ１，ＬＥＤ２の各発光面が設けられ、更に、図１０（ａ）（ｂ）と図１１（ａ）（ｂ）に示すように、光ファイバＦＣ３，ＦＣ４のコア及びクラッド層の端面（光出射端）に対向させて、受信部ＲＸ１に設けられている受光ダイオードＰＤ３，ＰＤ４の各受光面が設けられている。
【００８５】
また、送信部ＴＸ１に設けられている複数のリード端子のうち、予め決められている２つのリード端子が信号入力用のリード端子となっており、信号入力用のリード端子に夫々別々の電気信号（送信信号）を供給すると、上述の駆動回路を通じて発光ダイオードＬＥＤ１，ＬＥＤ２に供給し、光信号に変換して光ファイバＦＣ１，ＦＣ２へ入射させることが可能となっている。
【００８６】
また、受信部ＲＸ１に設けられている複数のリード端子のうち、予め決められている２つのリード端子が信号出力用のリード端子となっており、光ファイバＦＣ３，ＦＣ４からの光信号を受光ダイオードＰＤ１，ＰＤ２が光電変換し、信号処理回路を介して再生される信号（受信信号）が信号出力用のリード端子から出力されるようになっている。
【００８７】
また、モジュール側コネクタＭＣ１には、電源供給用のリード端子（符号略）とグランド用のリード端子（符号略）が設けられており、図９（ａ）（ｂ）に示した雄型コネクタ端子ｅ１と電源供給用のリード端子とが電気的に内部接続され、雄型コネクタ端子ｅ２とグランド用のリード端子とが電気的に内部接続されている。
【００８８】
更に又、雄型コネクタ端子ｅ１，ｅ２は、送信部ＴＸ１と受信部ＲＸ１にも接続されており、電源供給用のリード端子とグランド用のリード端子間に、所定の電源電圧を供給すると、雄型コネクタ端子ｅ１，ｅ２を介して発光ダイオードＬＥＤ１，ＬＥＤ２と上述の駆動回路と、受光ダイオードＰＤ１，ＰＤ２と上述の信号処理回路への給電を行得るようになっている。
【００８９】
なお、モジュール側コネクタＭＣ２とケーブル側コネクタＣＮ２は、モジュール側コネクタＭＣ１及びケーブル側コネクタＣＮ１と基本的に同じであるため、詳細な説明を割愛するが、図７及び図８に示されているように、発光ダイオードＬＥＤ１，ＬＥＤ２を有する送信部ＴＸ１がモジュール側コネクタＭＣ１に設けられているのに対し、モジュール側コネクタＭＣ２には、受光ダイオードＰＤ１，ＰＤ２を有する受信部ＲＸ２が設けられ、更に、受光ダイオードＰＤ３，ＰＤ４を有する受信部ＲＸ１がモジュール側コネクタＭＣ１に設けられているのに対し、モジュール側コネクタＭＣ２には、発光ダイオードＬＥＤ３，ＬＥＤ４を有する送信部ＴＸ２が設けられている。
【００９０】
更に、図９に示すように、モジュール側コネクタＭＣ２にも電源供給用のリード端子とグランド用のリード端子が設けられ、モジュール側コネクタＭＣ１と同様に、雄型コネクタ端子ｅ１，ｅ２がこれらのリード端子に接続されると共に、受光ダイオードＰＤ３，ＰＤ４と発光ダイオードＬＥＤ３，ＬＥＤ４への電力供給を行う構造となっている。
【００９１】
更に、受信部ＲＸ２に設けられている所定のリード端子を介して受光ダイオードＰＤ３，ＰＤ４からの出力信号（受信信号）を出力させ、送信部ＴＸ２に設けられている所定のリード端子を介して発光ダイオードＬＥＤ３，ＬＥＤ４へ送信用の信号を供給する構造となっている。
【００９２】
次に、光配線ケーブルＣＢと、通信モジュールＡＳＹ１，ＡＳＹ２を用いた配線方法について説明する。
【００９３】
なお、代表例として、振分装置Ｇ０と主制御基板７００との間を配線する場合について説明する。
【００９４】
まず、振分装置Ｇ０は、いわゆる傾斜型検銭機と同様の構造を有しており、メダル投入部ＭＤに投入された遊技用のメダルを、所定角度で設けられている傾斜面に沿って自重で転動させると共に、正規のメダルの直径よりも若干狭い間隔でその転動方向に沿って併設されている少なくとも２個の検出センサによって、メダルの転動速度とメダルの直径との特徴を光学的又は機械的に検出する。そして、該検出信号を主制御基板７００へ送出するようになっている。
【００９５】
更に、主制御基板７００に設けられているマイクロプロセッサ（ＭＰＵ）が、上述の検出信号を解析し、正規のメダルが投入されたか判断して、その判断結果を示す制御信号を振分装置Ｇ０へ返送する。
【００９６】
そして、異物であった場合には、振分装置Ｇ０に設けられているアクチュエータが制御信号の指示に従って動作し、その異物が傾斜面の終端に到達する前に、その異物をガイド部材Ｇ２側へ押し出して自重落下させ、ガイド部材Ｇ２を介して排出口１０５ａ側へ搬出させる。
【００９７】
一方、正規のメダルであった場合には、振分装置Ｇ０に設けられているアクチュエータは動作せず、傾斜面の終端までメダルを転動させることによってガイド部材Ｇ１側へ自重落下させ、ホッパ装置ＨＰへ搬送させる。
【００９８】
かかる振分装置Ｇ０に設けられている配線用の端子に通信モジュールＡＳＹ１のリード端子を半田付け等によって予め接続しておき、一方、主制御基板７００に設けられている配線用の端子に通信モジュールＡＳＹ２のリード端子を半田付け等によって予め接続しておく。
【００９９】
また、通信モジュールＡＳＹ１又は通信モジュールＡＳＹ２の電源供給用リード端子とグランド用リード端子に、所定の電源電圧を供給する。
【０１００】
そして、本スロットマシン１００の組み立て工程等において、光配線ケーブルＣＢのケーブル側コネクタＣＮ１を通信モジュールＡＳＹ１に、ケーブル側コネクタＣＮ２を通信モジュールＡＳＹ２に夫々装着することによって、振分装置Ｇ０と主制御基板７００を配線する。
【０１０１】
かかる配線構成によると、振分装置Ｇ０に設けられている上述の検出センサから出力される検出信号を通信モジュールＡＳＹ１内の発光ダイオードＬＥＤ１，ＬＥＤ２に供給し、光信号に変換させて光ファイバケーブルＦ１，Ｆ２を通じて主制御基板７００側の通信モジュールＡＳＹ２へ伝送させ、通信モジュールＡＳＹ２に設けられている受光ダイオードＰＤ１，ＰＤ２で元の検出信号に再生させてマイクロプロセッサ（ＭＰＵ）に供給することができる。
【０１０２】
一方、マイクロプロセッサ（ＭＰＵ）が検出信号を解析し、その検出結果を示す制御信号が出力されると、通信モジュールＡＳＹ２に設けられている発光ダイオードＬＥＤ３，ＬＥＤ４が制御信号を光信号に光電変換して、その光信号を光ファイバケーブルＦＣ３，ＦＣ４を通じて振分装置Ｇ０側の通信モジュールＡＳＹ１へ伝送させ、通信モジュールＡＳＹ１に設けられている受光ダイオードＰＤ３，ＰＤ４で元の制御信号に再生させて振分装置Ｇ０内の上記アクチュエータに供給することができる。
【０１０３】
このように、配線すべき一方の回路や基板や装置に通信モジュールＡＳＹ１を取り付け、他方の回路や基板や装置に通信モジュールＡＳＹ２を取り付けておき、組み立て工程等において光配線ケーブルＣＢのコネクタＣＮ１，ＣＮ２を通信モジュールＡＳＹ１，ＡＳＹ２に着脱自在に取り付けることによって、配線を行うことができる。
【０１０４】
そして、従来の導電性配線ケーブルとは異なり、光信号を光ファイバーによって伝送するので、不正行為を防止することができ、また、高速の情報伝送を行うことができる。
【０１０５】
また、通信モジュールＡＳＹ１又は通信モジュールＡＳＹ２の何れか一方の電源供給用とグランド用のリード端子に電源供給をすれば、導電ケーブルＭ１，Ｍ２を介して、他方の通信モジュールにも電源供給が自動的に行われるので、各所に電源電圧を供給するための配線を大幅に低減することができ、例えば部品点数を低減することができる。
【０１０６】
なお、以上の説明では、光配線ケーブルＣＢを４本の光ファイバーケーブルＦ１〜Ｆ４と２本の導電性ケーブルＭ１，Ｍ２を備えて構成した場合について述べたが、通信モジュールＡＳＹ１，ＡＳＹ２に設けられる発光ダイオードと受光ダイオードとの数と同じであれば、光ファイバーケーブルを適宜の本数にすることができる。
【０１０７】
また、夫々発光ダイオードと受光ダイオードを備えた通信モジュールＡＳＹ１，ＡＳＹ２について説明したが、通信モジュールＡＳＹ１，ＡＳＹ２の何れか一方は発光ダイオードのみ、他方は受光ダイオードのみを備えた通信モジュールにしてもよい。
【０１０８】
また、光信号を送出するための発光素子として発光ダイオードを用いた構成について説明したが、発光ダイオードに限らず他の発光素子（電気光変換素子）であってもよい。また、光信号を受光するための受光素子として受光ダイオードを用いた構成について説明したが、受光ダイオードに限らず他の受光素子（光電変換素子）であってもよい。
【０１０９】
また、代表例として、振分装置Ｇ０と主制御基板７００との間の配線構成について説明したが、本スロットマシン１００では、操作部１０４ｃに設けられているベットボタンＢ１，Ｂ２，Ｂ３と、スタートレバーＳＴと、ストップボタンＳＰ１，ＳＰ２，ＳＰ３とを中央表示基板４００に配線接続するのに、上述の通信モジュールＡＳＹ１を操作部１０４ｃ側に複数個、通信モジュールＡＳＹ２を中央表示基板４００側に複数個設け、複数個の通信モジュールＡＳＹ１と複数個の通信モジュールＡＳＹ２の間を複数本の光配線ケーブルＣＢで着脱自在に接続することによって、配線が行われている。そして、かかる配線構成によって、ベットボタンＢ１，Ｂ２，Ｂ３と、スタートレバーＳＴと、ストップボタンＳＰ１，ＳＰ２，ＳＰ３とを中央表示基板４００に接続することによって、従来の導電性配線ケーブルで配線した場合に問題となっていた不正行為を防止することを可能にした。
【０１１０】
また、サブ制御基板３００と演出表示装置１０３ｄとの間が、通信モジュールＡＳＹ１，ＡＳＹ２と光配線ケーブルＣＢによって配線接続されており、これによって、サブ制御基板３００から演出表示装置１０３ｄへ大容量の画像データを高速に伝送することを可能にしている。
【産業上の利用可能性】
【０１１１】
通信モジュールＡＳＹ１，ＡＳＹ２間に光配線ケーブルＣＢを装着して配線を行うことにより、導電性配線ケーブルでは不正行為の未然防止が困難であったスロットマシン等の遊技機の分野において、不正行為を未然に防止することが可能なスロットマシン等の遊技機を市場に提供することができる。また、光配線ケーブルＣＢによって高速な情報伝送を可能にし、例えば遊技者により楽しんでもらうことを可能にする高度なスロットマシン等の遊技機を提供することができる。
【図面の簡単な説明】
【０１１２】
【図１】発明を実施するための最良の形態としてのスロットマシンの外観構造を表した平面図である。
【図２】図１に示したスロットマシンの内部構造を表した平面図である。
【図３】図１及び図２に示したスロットマシンに設けられている制御システムの構成を表したブロック図である。
【図４】図１乃至図３に示したスロットマシンを配線するための光配線ケーブルと通信モジュールの構造を表した斜視図である。
【図５】図４に示した光配線ケーブルを通信モジュールに装着した状態を表した図である。
【図６】光配線ケーブルに設けられているケーブル側コネクタと通信モジュールとの構造をより詳細に表した斜視図である。
【図７】光配線ケーブルと通信モジュールの構造をより詳細に表した断面図である。
【図８】更に、光配線ケーブルと通信モジュールの構造をより詳細に表した断面図である。
【図９】更に、光配線ケーブルと通信モジュールの構造をより詳細に表した断面図である。
【図１０】更に、光配線ケーブルと通信モジュールの構造をより詳細に表した断面図である。
【図１１】更に、光配線ケーブルと通信モジュールの構造をより詳細に表した断面図である。
【符号の説明】
【０１１３】
１００  スロットマシン
ＣＢ  光配線ケーブル
Ｆ１，Ｆ２，Ｆ３，Ｆ３  光ファイバケーブル
Ｍ１，Ｍ２  導電性ケーブル
ＣＮ１，ＣＮ２  ケーブル側コネクタ
ＡＳＹ１，ＡＳＹ２  通信モジュール
ＭＣ１，ＭＣ２  モジュール側コネクタ
ＴＸ１，ＴＸ２  送信部
ＲＸ１，ＲＸ２  受信部
ＬＥＤ１〜ＬＥＤ４  発光ダイオード
ＰＤ１〜ＰＤ４  受光ダイオード
ｅ１，ｅ２  雄型のコネクタ端子
ｍ１，ｍ２  雌型のコネクタ端子
【図１】
2005080886.tif 000003
【図２】
2005080886.tif 000004
【図３】
2005080886.tif 000005
【図４】
2005080886.tif 000006
【図５】
2005080886.tif 000007
【図６】
2005080886.tif 000008
【図７】
2005080886.tif 000009
【図８】
2005080886.tif 000010
【図９】
2005080886.tif 000011
【図１０】
2005080886.tif 000012
【図１１】
2005080886.tif 000013